(57)【要約】電話呼び出し経路指定システムは、発信者からの電話呼び出しを、発信者に近く且つ利用可能な移動リソースに経路指定する。具体的には、移動リソースはタクシーで、顧客がタクシー運転手の直接の視界に入っていなくとも、タクシーを「呼ぶ」ことができるようにする。自動コーディネータは、移動リソースと呼び出しセンターに対する発信者とを管理し、利用可能な最寄の移動リソースを発信者に自動的に割り当て、発信者と移動リソースのオペレータの間の会話によって、移動リソースが容易に発信者に向かって進めるようにする。【選択図】図１
2005503739.tif 000002
【特許請求の範囲】
【請求項１】
発信者からの電話呼び出しを移動リソースに経路指定するための電話呼び出し経路指定システムにおいて、
発信者の位置を判定するための発信者位置判定手段と、
１つ又は複数の移動リソースの位置を判定するための移動リソース位置判定手段と、
前記発信者位置判定手段からの位置情報と前記移動リソース位置判定手段からの位置情報とを受け取るコーディネータと、を備えており、
前記コーディネータは、前記位置情報を処理して、電話呼び出しを前記発信者に関して局所的な移動リソースに経路指定することを特徴とする電話呼び出し経路指定システム。
【請求項２】
前記コーディネータは、電話呼び出しを前記局所的な移動リソース内に位置する移動電話に経路指定することを特徴とする請求項１に記載の電話呼び出し経路指定システム。
【請求項３】
前記移動リソースは車輌であり、発信者と移動リソースのオペレータの間の会話により前記移動リソースと前記発信者との面会がやり易くなることを特徴とする請求項１又は２に記載の電話呼び出し経路指定システム。
【請求項４】
前記車輌はタクシーであり、前記移動リソースのオペレータはタクシー運転手であることを特徴とする請求項３に記載の電話呼び出し経路指定システム。
【請求項５】
前記移動リソースの利用可能性を判定する状態モニターを更に備えていることを特徴とする上記請求項の何れかに記載の電話呼び出し経路指定システム。
【請求項６】
各移動リソースは、移動リソースの位置を無線データリンクで前記コーディネータに送信する移動リソース位置判定手段を保有していることを特徴とする上記請求項の何れかに記載の電話呼び出し経路指定システム。
【請求項７】
前記状態モニターは、前記コーディネータが電話呼び出しを最寄の利用可能な移動リソースに経路指定できるように、前記移動リソースの利用可能性を無線データリンクで前記コーディネータに送信することを特徴とする上記請求項の何れかに記載の電話呼び出し経路指定システム。
【請求項８】
前記移動リソースは、支払い処理データを無線データリンクで前記コーディネータに送信する支払い端末を含んでいることを特徴とする上記請求項の何れかに記載の電話呼び出し経路指定システム。
【請求項９】
前記移動リソース位置判定手段は、前記支払い端末内に入っていることを特徴とする請求項８に記載の電話呼び出し経路指定システム。
【請求項１０】
データは前記コーディネータから無線データリンクで前記移動リソースに送信できることを特徴とする上記請求項の何れかに記載の電話呼び出し経路指定システム。
【請求項１１】
移動リソース位置判定手段は、グローバル・ポジショニング・システム（ＧＰＳ）受信器を備えていることを特徴とする上記請求項の何れかに記載の電話呼び出し経路指定システム。
【請求項１２】
前記移動リソースは、無線データリンクでデータを送受信し、移動電話からの移動電話信号を送受信し、ＧＰＳ信号を受信するための多機能アンテナを有していることを特徴とする請求項１１に記載の電話呼び出し経路指定システム。
【請求項１３】
電話呼び出しは移動電話が起点であることを特徴とする上記請求項の何れかに記載の電話呼び出し経路指定システム。
【請求項１４】
発信者位置判定手段は、第２の移動電話の起点のセルを使用して発信者の位置を判定することを特徴とする請求項１３に記載の電話呼び出し経路指定システム。
【請求項１５】
前記発信者位置判定手段は、前記移動電話から、位置が分かっている少なくとも３つの基地局への、信号の着信時刻の差を計算することにより、発信者の位置を判定することを特徴とする請求項１３に記載の電話呼び出し経路指定システム。
【請求項１６】
前記発信者位置判定手段は、前記移動電話と位置が分かっている追加の受信器における、少なくとも３つの基地局からの信号の着信時刻の差を計算することにより、発信者の位置を判定することを特徴とする請求項１３に記載の電話呼び出し経路指定システム。
【請求項１７】
電話呼び出しは固定回線電話を起点とすることを特徴とする請求項１から１２の何れかに記載の電話呼び出し経路指定システム。
【請求項１８】
前記発信者位置判定手段は、固定回線電話番号を使って、固定回線電話の位置を調べることにより、発信者の位置を判定することを特徴とする請求項１７に記載の電話呼び出し経路指定システム。
【請求項１９】
前記コーディネータは、発信者がコーディネータと対話して、発信者からの電話呼び出しを移動リソースに経路指定できるようにするために、対話式音声応答サーバを備えていることを特徴とする上記請求項の何れかに記載の電話呼び出し経路指定システム。
【請求項２０】
前記コーディネータは、移動リソースから位置データを受信するための通信サーバを備えていることを特徴とする上記請求項の何れかに記載の電話呼び出し経路指定システム。
【請求項２１】
前記コーディネータは、通信サーバと対話式音声応答サーバからのデータを翻訳して管理し、且つ対話式音声応答サーバからの要求に応答するための、アプリケーションサーバを備えていることを特徴とする請求項２０に記載の電話呼び出し経路指定システム。
【請求項２２】
前記コーディネータは、発信者、移動リソース、及びオペレーションデータを記憶するためのデータベースサーバを備えていることを特徴とする上記請求項の何れかに記載の電話呼び出し経路指定システム。
【請求項２３】
前記発信者は１つ又は複数の好適な移動リソースを有しており、前記コーディネータが、電話呼び出しを、発信者に関して最寄の好適な移動リソース内に位置する移動電話に経路指定できるようになっている上記請求項の何れかに記載の電話呼び出し経路指定システム。
【請求項２４】
各移動リソースは、移動リソースにとって好適な２次移動リソースを有しており、発信者の好む移動リソースが利用できない場合は、前記コーディネータが、電話呼び出しを発信者に関して最寄りの２次移動リソースに経路指定できるようになっている請求項２３に記載の電話呼び出し経路指定システム。
【請求項２５】
電話呼び出し経路指定システムにおいて、
電話呼び出しを行っている発信者の位置に対応する発信者位置信号を生成するように作られた発信者位置判定手段と、
少なくとも１つの移動リソースの位置に対応するリソース位置信号を生成するように作られた移動リソース位置判定手段と、
前記発信者位置信号と前記リソース位置信号を受信して処理し、電話呼び出しを発信者に最も都合の良い最寄の移動リソースに経路指定することができるコーディネータと、を備えていることを特徴とするシステム。
【請求項２６】
発信者からの電話呼び出しを、１つ又は複数のリソースに経路指定するための方法において、
発信者の位置を判定する段階と、
１つ又は複数の移動リソースの位置を判定する段階と、
前記発信者からの電話呼び出しを、前記発信者に関して最寄の移動リソースに経路指定する段階と、から成ることを特徴とする方法。
【請求項２７】
前記１つ又は複数の移動リソースの位置を判定する段階は、
様々な間隔で、現在時間、移動リソースの位置、速度、及び進行方向の更新を受信する段階と、
前の更新時の移動リソースの位置、速度、及び進行方向と、最後の更新時からの経過時間を考慮することにより、更新と更新の間の移動リソースの予測位置を推定する段階と、を含んでいることを特徴とする請求項２６に記載の方法。
【請求項２８】
前記１つ又は複数の移動リソースは、移動リソースの位置が、移動リソースの予測位置を囲む不確定円の外側にある場合にのみ、更新を送信することを特徴とする請求項２７に記載の方法。
【請求項２９】
呼び出しセンターは、発信者からの電話呼び出しを、発信者に関して最寄の移動リソースに経路指定することを特徴とする請求項２８に記載の方法。
【請求項３０】
前記不確定円の半径は、前記移動リソースの位置及び／又は日時によって、前記呼び出しセンターにより制御されることを特徴とする請求項２９に記載の方法。
【請求項３１】
前記予測位置は、前記移動リソースと前記呼び出しセンターの両方で計算されることを特徴とする請求項２９又は３０に記載の方法。
【請求項３２】
位置が分かっている発信者に関して位置が分かっている最寄の移動リソースを選択するための方法において、
各移動リソースの位置の不確定円を求める段階と、
発信者から或る一定距離内に全体が納まる不確定円を有する利用可能な移動リソースの群を選択する段階と、
前記利用可能な移動リソースの群から、不確定円の中心が発信者に対して最も近い移動リソースを選択する段階と、から成ることを特徴とする方法。
【請求項３３】
移動リソースは、管轄区域内のタクシーの不確定円の内の少なくとも１つの大きさを考慮することにより選択されることを特徴とする請求項３２に記載の方法。
【請求項３４】
添付図面を参照しながら実質的にここで説明している電話呼び出し経路指定システム。
【請求項３５】
添付図面を参照しながら実質的にここで説明している、発信者からの電話呼び出しを１つ又は複数の移動リソースに経路指定するための方法。
【請求項３６】
添付図面を参照しながら実質的にここで説明している、最寄の移動リソースを選択するための方法。
【発明の詳細な説明】
【技術分野】
【０００１】
本発明は、発信者から１つ又は複数の移動リソースへの電話呼び出しを経路指定するための電話呼び出し経路指定システムにおいて、移動リソースが、特定の場所に限定されないリソースとして定義され、且つその仕事上の性質により、しばしば特定の中心となる場所に戻ることなく或る場所から別の場所に移動する、電話呼び出し経路指定システムに関する。このような移動リソースの例としては、タクシー、修理車輌、警察車輌、往診中の医者、救急車、及び公益事業車輌などが挙げられる。より厳密には、本発明は、発信者から最寄の移動リソースへの電話呼び出しを経路指定するシステム及び方法において、発信者と移動リソースのオペレータが、互いの現在位置の方向又は落ち合う時間の様な情報を交換するための会話に携われるようにする経路指定のシステムと方法に関する。このようなシステムを「Ｚｉｎｇｏ」と呼ぶように提案されており、これに対して、共同体商標出願が現在係属中である。
【背景技術】
【０００２】
現時点では、発信者が、送迎又は面会を設定するために移動リソースに連絡をとりたいと望む場合は、呼び出しセンターに電話をかけて呼び出しセンターのオペレータと通話し、オペレータが発信者の氏名、場所、電話番号などの詳細情報を記録し、呼び出しセンターのオペレータが利用可能で発信者に近いと考える移動リソースのオペレータにこの詳細情報を伝えるようになっている。一例として、タクシーの呼び出し予約が挙げられるが、この場合、発信者は、呼び出しセンターに電話をして、呼び出しセンターのオペレータに氏名と場所を告げる。この情報がタクシーの運転手に無線、データメッセージ、又は移動電話呼出で伝えられる。するとタクシーの運転手は、現在の空車状況及び発信者に対する場所状況によって、予約を「競り落とす」。別の例として、発信者が自動車の故障で応援を求める場合が挙げられるが、この場合、発信者は、呼び出しセンターに電話をかけて、呼び出しセンターのオペレータに氏名、場所、及び故障の問題点を伝える。すると呼び出しセンターのオペレータは、この情報を、普通は呼び出しセンターから離れた場所にいるが、発信者の近くにいて利用できる考えられる故障修理技術者に流す。
【０００３】
このシステムの問題点の１つは、発信者と移動リソースオペレータの間の対話が制限されていることである。発信者の詳細情報は、呼び出しセンターのオペレータにより移動リソースのオペレータに送られるが、呼び出しセンターのオペレータは、移動リソースの正確な利用可能性、発信者又は移動リソース何れかの正確な場所、又は発信者までの進路上の交通量や一方通行の通りの存在の様なその他の情報を知らないこともある。更に、発信者の詳細情報を移動リソースオペレータに伝達する際、間違った情報が伝わる可能性もある。
【０００４】
このシステム及び方法に付帯する別の問題点は、インフラストラクチャの費用が高いことである。多くのオペレータを採用している呼び出しセンターの費用は、組織体の間接費の相当な割合を占める。この費用は、発信者と移動リソースオペレータの両方に降り懸かることになる。例えば、発信者がタクシーを呼び出す場合、予約料金は発信者への費用全体のなかで相当な割合を占めるが、一方ではタクシー運転手も、呼び出しセンターを設けている企業連合又は会社に加入しているわけである。更に、呼び出しセンターのオペレータと移動リソースのオペレータの間で情報を伝達するのに利用しなければならない機器に関する高額な費用もこれに付帯する。例えば、ロンドンを拠点とするタクシー予約手配サービスが幾社かあって、呼び出しセンターとタクシー運転手との間で、発信者の方角、タクシーの空車状況、及び仕事の受諾又は拒絶などの情報を伝達している。このようなサービスでは、複雑で高価な端末を加入者であるタクシーに装着する必要がある。
【０００５】
このシステム及び方法に付帯する更に別の問題として、特にタクシー運転手に関して問題となるのは、仕事を探すのに費やす時間量である。例えば、ロンドンでは、現在、タクシー運転手は、時間の４０％までを仕事探しに費やしている。タクシーのそばに潜在的な顧客がいることもしばしばあるが、タクシー運転手と顧客が直接視線を合わせずにタクシーを「呼び止める」方法は現在のところ存在しないので、実際に仕事になる可能性があっても気づかずに終わってしまう。
【０００６】
移動リソースの位置を見つけ出す技術は数多く存在している。その中でも、グローバル・ポジショニング・システム（ＧＰＳ）は当技術ではよく知られている。地球周囲の軌道を周回している多数の衛星から届く信号が地上の受信者に着信する着信時刻差を利用して、受信者の位置を１０メートル以内で割り出す。位置の精度は信号の品質により決まるが、これは高い建物又は悪天候など環境条件によって変わる。
【０００７】
移動電話網の既存のインフラストラクチャでは、呼び出しセンターが移動電話で発信者の凡その位置を判定できるようになっている。このような方法の一例では、起点セル（ＣＯＯ）技術を使って、移動装置が現在移動ネットワークのどのセルに登録されているかを調べることにより、移動端末の凡その位置を把握する。別の移動電話網位置確認システムは、少なくとも３つの基地局における移動端末からの信号の着信時刻の差を計算することにより移動端末の位置を求める、着信時刻（ＴＯＡ）技法に依存している。ＷＯ９７／１１３８４に記載の更に別の移動電話位置システムでは、移動ネットワークに固定式位置測定装置（ＬＭＵ）を重ねて配置して、移動端末の位置を判定するための基準ビーコンとして機能させることにより、移動端末の位置を割り出す強化時間差観測法（Ｅ−ＯＴＤ）を採用している。
【０００８】
上記のように、移動電話網オペレータは、移動電話位置特定システムを使って移動電話位置データベースを維持しており、このデータベースには、ネットワーク上の移動電話の位置が記憶されている。位置データベースには、第三者が遠隔的にアクセスすることができ、発信者回線識別（ＣＬＩ）を使って入手した発信者の移動電話の電話番号をさかのぼって、移動電話の位置についての大まかな区分情報を得ることができる。
【０００９】
固定回線電話から電話呼び出しをしている発信者の位置は、固定電話回線番号の中央登録簿を逆照合することにより判定し、発信者の区分情報を得ることができる。英国では、このデータベースはＯＳＩＳとして知られており、英国電気通信株式会社により提供されている。
【００１０】
電話呼び出しを取り扱うための、オペレータのいない自動化された呼び出しセンターは、当技術分野では既知である。この呼び出しセンターは、電話呼び出しを、適切な装置又は個人に自動的に経路指定するコンピュータ電話通信統合（ＣＴＩ）システムを採用している。対話式音声応答（ＩＶＲ）サーバを使って、発信者のハンドセットからのプッシュ音を変換してデータベースと対話出来るようにしている。
【００１１】
発信者に最寄の固定リソースの連絡情報を自動的に提供するコンピュータ電話通信統合（ＣＴＩ）及び発信者位置測定システムは、当技術では既知である。このようなシステムの１つは、英国移動電話網オペレ−タ、ｍｍＯ2、により提供されているFindMeとして知られており、発信者は、ＩＶＲサーバにダイアルして、その移動電話に関するショート・メッセージ・サービス（ＳＭＳ）が選択した最寄のリソースの連絡情報を受信する。呼び出しセンターは、発信者の移動電話番号を、ＣＯＯ技法を使って得られるｍｍＯ2の移動電話位置データベースで逆照合することにより、発信者の位置を求める。このようなシステムでは、リソースは固定位置にあり、リソースへの連絡手続きは、３つの段階で行なわれる。最初に、発信者は、移動電話の呼び出しセンターを呼び出して所望のリソースの詳細情報を要求する。次いで、呼び出しに続いて、呼び出しセンターは、移動リソースの連絡詳細情報を含むＳＭＳメッセージを、発信者の移動電話に戻す。最後に、発信者は、連絡詳細情報をメモして、リソースに連絡を取るために２回目の呼び出しを行わねばならない。この様に、リソースに連絡をとる手順は、遅く非効率である。呼び出しセンターには、リソースが利用可能であるかを判定したり、又は固定場所にないリソースを追跡する能力はない。
【００１２】
従って、利用可能ではあるが、潜在的な顧客の視線に入っていない局所的な移動リソースに連絡するという苛立たしい問題に対する解が、求められている。
【００１３】
【特許文献１】
国際特許ＷＯ９７／１１３８４号
【発明の開示】
【課題を解決するための手段】
【００１４】
上記状況に鑑み、本発明は、発信者からの電話呼び出しを移動リソースに経路指定するための電話呼び出し経路指定システムを提供するものであり、同システムは、
発信者の位置を判定するための発信者位置判定手段と、
１つ又は複数の移動リソースの位置を判定するための移動リソース位置判定手段と、
発信者位置判定手段からの位置情報と移動リソース位置判定手段からの位置情報とを受け取るコーディネータと、を備えており、
コーディネータは、位置情報を処理して、電話呼び出しを発信者に関して局所的な移動リソースに経路指定することを特徴としている。
【００１５】
本発明の或る好適な実施形態では、コーディネータは、電話呼び出しを局所的な移動リソース内に位置する移動電話に経路指定する。
【００１６】
移動リソースは、発信者と移動リソースオペレータの間の会話により移動リソースと発信者の面会がやり易くなるように、車輌であるのが望ましい。
【００１７】
車輌はタクシーで、移動リソースのオペレータはタクシー運転手であるのが望ましい。
【００１８】
電話呼び出し経路指定システムは、移動リソースの利用可能性を判定する状態モニターを更に備えているのが望ましい。
【００１９】
各移動リソースは、移動リソースの位置を、無線データリンクでコーディネータに送信する移動リソース位置判定手段を保有しているのが望ましい。
【００２０】
状態モニターは、コーディネータが電話呼び出しを最寄の利用可能な移動リソースに経路指定できるように、移動リソースの利用可能性を無線データリンクでコーディネータに送信するのが望ましい。
【００２１】
移動リソースは、支払い処理データを無線データリンクでコーディネータに送信する支払い端末を含んでいるのが望ましい。
【００２２】
移動リソース位置判定手段は、支払い端末内に入っているのが望ましい。
【００２３】
データは、コーディネータから無線データリンクで移動リソースに送信できるのが望ましい。
【００２４】
移動リソース位置判定手段は、グローバル・ポジショニング・システム（ＧＰＳ）受信器を備えているのが望ましい。
【００２５】
移動リソースは、無線データリンクでデータを送受信し、移動電話から移動電話信号を送受信し、ＧＰＳ信号を受信するための多機能アンテナを有しているのが望ましい。
【００２６】
本発明の或る好適な実施形態では、電話呼び出しは移動電話が起点である。
【００２７】
発信者位置判定手段は、第２の移動電話の起点のセルを使用して発信者の位置を判定する。
【００２８】
本発明の別の好適な実施形態では、発信者位置判定手段は、移動電話から、位置が分かっている少なくとも３つの基地局への、信号の着信時刻の差を計算することにより、発信者の位置を判定する。
【００２９】
本発明の更に別の好適な実施形態では、発信者位置判定手段は、移動電話と位置が分かっている追加の受信器における、少なくとも３つの基地局からの信号の着信時刻の差を計算することにより、発信者の位置を判定する。
【００３０】
本発明の更に別の好適な実施形態では、電話呼び出しは固定回線電話を起点とする。
【００３１】
発信者位置判定手段は、固定回線電話番号を使って、固定回線電話の位置を調べることにより、発信者の位置を判定するのが望ましい。
【００３２】
本発明の別の好適な実施形態では、コーディネータは、発信者がコーディネータと対話して、発信者からの電話呼び出しを移動リソースに経路指定できるようにするために、対話式音声応答サーバを備えている。
【００３３】
コーディネータは、移動リソースから位置データを受信するための通信サーバを備えているのが望ましい。
【００３４】
コーディネータは、通信サーバと対話式音声応答サーバからのデータを翻訳して管理し、且つ対話式音声応答サーバからの要求に応答するための、アプリケーションサーバを備えているのが望ましい。
【００３５】
コーディネータは、発信者、移動リソース、及びオペレーションデータを記憶するためのデータベースサーバを備えているのが望ましい。
【００３６】
本発明の別の実施形態では、発信者は１つ又は複数の好適な移動リソースを有しており、コーディネータが、電話呼び出しを、発信者に関して最寄の好適な移動リソース内に位置する移動電話に経路指定できるようになっている。
【００３７】
各移動リソースは、移動リソースにとって好適な２次移動リソースを有しており、発信者の好む移動リソースが利用できない場合は、コーディネータが、電話呼び出しを発信者に関して最寄りの２次移動リソースに経路指定できるようになっているのが望ましい。
【００３８】
更に、本発明は、電話呼び出し経路指定システムを提供しており、同システムは、
電話呼び出しを行っている発信者の位置に対応する発信者位置信号を生成するように作られた発信者位置判定手段と、
少なくとも１つの移動リソースの位置に対応するリソース位置信号を生成するように作られた移動リソース位置判定手段と、
発信者位置信号とリソース位置信号を受信して処理し、電話呼び出しを発信者に最も都合の良い最寄の移動リソースに経路指定することができるコーディネータと、を備えている。
【００３９】
更に、本発明は、発信者からの電話呼び出しを、１つ又は複数のリソースに経路指定するための方法を提供しており、同方法は、
発信者の位置を判定する段階と、
１つ又は複数の移動リソースの位置を判定する段階と、
発信者からの電話呼び出しを、発信者に関して最寄の移動リソースに経路指定する段階と、から成っている。
【００４０】
１つ又は複数の移動リソースの位置を判定する段階は、
様々な間隔で、現在時間、移動リソースの位置、速度、及び進行方向の更新を受信する段階と、
前の更新時の移動リソースの位置、速度、及び進行方向と、最後の更新時からの経過時間を考慮することにより、更新と更新の間の移動リソースの予測位置を推定する段階と、を含んでいるのが望ましい。
【００４１】
１つ又は複数の移動リソースは、移動リソースの位置が、移動リソースの予測位置を囲む不確定円の外側にある場合にのみ、更新を送信することが望ましい。
【００４２】
呼び出しセンターは、発信者からの電話呼び出しを、発信者に関して最寄の移動リソースに経路指定するのが望ましい。
【００４３】
不確定円の半径は、移動リソースの位置及び／又は日時によって、呼び出しセンターにより制御されるのが望ましい。
【００４４】
予測位置は、移動リソースと呼び出しセンターの両方で計算されるのが望ましい。
【００４５】
更に、本発明は、位置が分かっている発信者に関して位置が分かっている最寄の移動リソースを選択するための方法を提供しており、同方法は、
各移動リソースの位置の不確定円を求める段階と、
発信者から或る一定距離内に全体が納まる不確定円を有する利用可能な移動リソースの群を選択する段階と、
利用可能な移動リソースの群から、不確定円の中心が発信者に対して最も近い移動リソースを選択する段階と、から成っている。
【００４６】
本発明の別の好適な実施形態では、移動リソースは、管轄区域内のタクシーの不確定円の内の少なくとも１つの大きさを考慮することにより選択される。
【発明を実施するための最良の形態】
【００４７】
本発明の特定の実施形態について、例示のみを目的に、以下、添付図面を参照しながら説明する。
【００４８】
図１では、発信者（１０）は、タクシー群（１２）からタクシーを呼ぶために呼び出しセンター（１１）に電話をかける。タクシー（１２）は、様々な間隔で、タクシーの位置、速度、進行方向、及び空車状態に関する更新情報を無線データリンク（１３）を通して呼び出しセンター（１１）に送信する。呼び出しセンター（１１）は、発信者（１０）の位置（１４）を判定し、どのタクシー（１２）が近いか確認する。次いで、呼び出しセンター（１１）は、最寄の空車タクシー（１５）を選択し、電話呼び出しを最寄の空車タクシー（１５）の移動電話に経路指定する。タクシー（１５）の移動電話が、例えば話中や故障中など利用不能状態であれば、呼び出しセンター（１１）は、その呼び出しを別の最寄の空車タクシー（１６）に経路指定する。すると、発信者は、タクシー（１６）の運転手と直接話し、拾ってもらう場所(１４)を伝えるか、タクシー運転手が要求した場合は、もっと便利な乗車場所まで移動することができるようになる。
【００４９】
図２では、発信者（１０）が、タクシー群（１２）からタクシーを呼ぶために移動電話（２０）を使用している様子を示している。移動電話（２０）は、セル（２２）内の移動電話基地局（ＢＴＳ）（２１）に登録されている。発信者位置判定手段（２３）は、ＣＯＯ（起点セル）、ＴＯＡ（着信時刻）、又はＥ−ＴＯＡ（強化着信時刻）技法を使って発信者の位置（１４）を判定する。発信者の位置（１４）は、発信者位置データベース（２４）内で周期的に更新される。発信者（１０）は、呼び出しセンター（１１）に電話をかけ、呼び出しセンター（１１）は、発信者回線識別（ＣＬＩ）を使って発信者の移動電話番号を判定し、移動電話番号（２５）を発信者位置データベース（２４）に送ることにより、発信者の位置（１４）を調べる。発信者（１４）の位置が、経度／緯度並びに不確定円の半径として、呼び出しセンター（１１）に戻される。
【００５０】
図３は、発信者（１０）が、タクシー群（１２）からタクシーを呼ぶために固定回線電話（３０）を使用している様子を示している。発信者の固定回線電話（３０）の位置は、将来的な参照に備えて発信者位置データベース(３４)に記憶される。発信者（１０）は、呼び出しセンター（１１）に電話呼び出しを行い、呼び出しセンター（１１）は、発信者回線識別（ＣＬＩ）を使って発信者の固定回線電話番号を判定し、固定回線電話番号（３５）を発信者位置データベース（３４）に送ることにより、発信者の位置（１４）を調べる。発信者の位置（１４）は、区分情報（１４ａ）として戻される。
【００５１】
図４に示すように、タクシー（１６）のＧＰＳ（グローバル・ポジショニング・システム）受信器（４０ａ）は、衛星（４０ｃ）から多機能アンテナ（４５）を介してＧＰＳ信号（４０ｂ）を受信することにより、タクシー（１６）の位置、速度、及び進行方向を判定する。タクシー端末（４２ａ）は、ＧＰＳ受信器（４０ａ）を監視、制御して、様々な間隔で、タクシーの位置、速度、及び進行方向のサンプルをラジオパッド（４１ａ）に送るが、ラジオパッド（４１ａ）は、タクシーパニックボタン（４２ｂ）からのデータも受信する。タクシー端末（４２ａ）は、タクシー実車サイン（４２ｃ）及び／又はタクシーメーター（４２ｄ）からタクシーの空車状況も監視する。タクシーの位置、速度、進行方向、及び空車状況は、ラジオパッド（４１ａ）から無線データリンク（４１ｂ）により多機能アンテナ（４５）を介して送信される。更に、タクシー端末（４２ａ）は、無線データリンク（４１ｂ）を通して、支払い処理を送受信することにより、クレジットカード及びデビットカードでの支払いを処理することもできる。
【００５２】
無線データリンク（４１ｂ）は、Ｘ２５パケット無線ネットワークを使用する。他の実施例では、ゼネラル・パケット・ラジオ・サービス（ＧＰＲＳ）、ユニバーサル・モバイル・テレコミュニケーション・サービス（ＵＭＴＳ）、セルラー・デジタル・パケット・データ（ＣＤＰＤ）、又はショート・メッセージ・サービス（ＳＭＳ）に基づくサービスを使用している（語彙解説を参照）。タクシー（１６）には、移動電話（４４ａ）及びハンドフリーキット（４４ｃ）が装着されているが、これも、多機能アンテナ（４５）を介して移動電話データ信号（４２ｂ）を送受信することができる。ＧＰＳ受信器（４０ａ）は、ラジオパッド（４１ａ）に内蔵してもよい。タクシー端末（４２ａ）とＧＰＳ受信器（４０ａ）は、タクシーメーターの料率の様な他のデータ、並びに呼び出しセンター(１１)からの区域パラメータデータも、無線データリンク（４１ｂ）を通して受信することができる。
【００５３】
図５に示すように、コーディネータとして働いているコンピュータ電話通信統合システム（５０）は、呼び出しセンター（１１）にとってキーであり、対話式音声応答（ＩＶＲ）サーバ（５１）、アプリケーションサーバ（５２）、通信サーバ（５３）、データベースサーバ（５４）及び処理サーバ（５５）を含んでいる。ファイアウォール及び侵入検知システム（５７）を介してインターネットに外部接続されているウェブサーバ（５６）を備えていてもよい。発信者（１０）から入ってくる電話呼び出しは、対話式音声応答（ＩＶＲ）サーバ（５１）に着信し、サーバは、発信者の電話番号を判定し、適切な歓迎メッセージで応答する。対話式音声応答（ＩＶＲ）サーバは、着信電話呼び出しの電話番号が除外電話リストにあるか否かも調べて、発信者（１０）の電話番号又は発信者（１０）が入力した口座番号を使って、発信者の専用口座を選択することができる。
【００５４】
アプリケーションサーバ（５２）は、対話式音声応答式サーバ（５１）からの要求を翻訳し、管理し、応答する。対話式音声応答サーバから発信者（１０）の位置確認という指令を受け取ると、アプリケーションサーバ（５１）は、電話呼び出しが移動電話を起点にしているか固定回線電話を起点にしているかを調べる。電話呼び出しが移動電話起点である場合には、移動電話ネットワークのオペレータを判定する。電話呼び出しの起点が移動電話か固定回線電話かによって、電話番号は外部移動電話データベース（２４）又は固定回線発信者位置データベース（２４）に送られ、発信者の位置（１４）の逆照合が行なわれる。
【００５５】
アプリケーションサーバ（５２）は、更に、位置更新及び空車状況を記憶すること及びタクシー（１２）の位置を予測することを含め、タクシー（１２）からのメッセージを翻訳して管理する。アプリケーションサーバ（５２）は、更に、タクシー運転手、車輌、及びシステム内外の他の機器を記録し、タクシーパニックボタン（４２ｂ）が押された場合には呼び出しセンターのオペレータに警告を発し、タクシー又は他の機器が盗難にあった場合に機器が使用できないようにする。アプリケーションサーバ（５２）の他の機能としては、発信者、タクシー運転手、及び／又は企業向け情報の管理、新しいタクシー運転手の登録、苦情処理とフィードバック、並びにサービスの品質、システム劣化、呼び出しセンターシステムリソースと拡張、機器の設置と誤使用などのオペレーションチームアプリケーションの運営などが挙げられる。
【００５６】
更に、アプリケーションサーバ（５２）は、個々の発信者（１０）が好適なタクシー運転手に接続できるようにする。対話式音声応答サーバ（５１）は、発信者の電話番号又は発信者（１０）が入力した口座番号の何れかから発信者（１０）を認識することができる。更に、個々のタクシー運転手は、好適な同僚運転手群を顧客に割り当てることができ、発信者の好みのタクシー運転手が忙しい場合は、発信者の電話呼び出しを、発信者のいつものタクシー運転手が推薦する別の最寄のタクシー運転手に経路指定することができる。
【００５７】
通信サーバ（５３）は、無線データリンク（４１ｂ）を通してタクシー（１２）からデータを受信し、そのデータをメッセージにデコードする。メッセージが支払い処理データであれば、処理サーバ（５５）に送られる。メッセージがタクシー位置の更新であれば、アプリケーションサーバ（５２）に送られる。
【００５８】
ウェブサーバ（５６）は、対話式音声応答（ＩＶＲ）サーバ（５１）及びアプリケーションサーバ（５２）に対するユーザーインターフェースとして働く。ウェブサーバ（５６）へのアクセスは、呼び出しセンターのオペレータが、呼び出しセンターに対して内部的に行なうこともできるし、顧客又はタクシー運転手が、ファイアウォール及び侵入検知システム（５７）を通してインターネットで、呼び出しセンターに対して遠隔的に行なうこともできる。
【００５９】
処理サーバ（５５）は、通信サーバ（５３）から支払い処理データを受信し、承認が必要な場合には取得銀行（５８）に接続される。次いで、支払い処理確認メッセージが通信サーバに戻され、タクシー（１６）へ送信されるか又はアプリケーションサーバ（５２）で取り扱われることになる。クレジットカード又はデビットカード処理は、タクシー端末に受信され、通信サーバ（５３）を経由して無線データリンク（４１ｂ）を通して処理サーバ（５５）に送信される。処理サーバは、同意条項下での承認が求められる場合には取得銀行に接続される。処理方法はＡＰＡＣＳ２９又はＡＰＡＣＳ３０でもよい（語彙解説を参照）。
【００６０】
データベースサーバ（５４）は、記憶されたデータをアプリケーションサーバ（５２）に対して出し入れし、データアクセス並びに故障の場合のデータ修復を管理する。
【００６１】
請求書の送付及び口座管理のような他の事業処理は、呼び出しセンター（１１）から遠隔的に発生するので、データサーバ（５４）からのデータは、オフラインでアクセスし、処理することができる。コンピュータ電話通信統合システム（５０）全体は、呼び出しセンター（１１）から遠隔的に、安全な専用の場所に収納してもよく、その場合、サーバはインターネット接続部を備えて前もって構成され、また、安定化電力機密保持及びサポートを備えている。そうすると、呼び出しセンターのオペレータ、マネジャ、タクシー運転手、及び顧客は、インターネットでウェブブラウザを通してコンピュータ電話通信統合システムにアクセスできる。
【００６２】
図６に示すように、タクシー端末（４２ａ）は、名目上、ＧＰＳ受信器（４０ａ）から毎秒１回データを読み出して、読み値を平均して、日時及びタクシーの位置、速度、及び進行方向から成る第１サンプル（６０）を生成する。第１サンプル（６０）は、呼び出しセンター（１１）に送られる。タクシー端末（４２ａ）と呼び出しセンター（１１）のアプリケーションサーバ（５２）は、共に、第１サンプル（６０）の送信後常時、タクシーの予測位置（６２）を推定する。タクシー端末（４２ａ）により別のサンプル（６３）が生成され、タクシーの位置が、予測位置（６２）周りの或る距離（Ａ）により定義された不確定円（６５）の外側に移動してしまった場合には、第２のサンプル（６４）が呼び出しセンター（１１）に送られるのみである。不確定円（６５）は、従って、ＧＰＳ受信器（４０ａ）からのデータ送信頻度に関係する。
【００６３】
タクシー端末（４２ａ）とアプリケーションサーバ（５２）は、タクシー端末（４２ａ）から送信された最後のサンプル又は呼び出しセンター（１１）で受信された最後のサンプルを考慮することにより、タクシーの予測位置（６２）を推定する。サンプルで与えられたタクシーの位置、速度、及び進行方向を考慮に入れることにより、タクシー（１６）と呼び出しセンター（１１）の双方で予測位置を計算することができる。呼び出しセンター（１１）は、各タクシー（１２）に関する予測位置と指定された不確定円（６５）を、発信者に最寄のタクシー（１６）を選択する場合の基準として使用する。タクシー（１６）は、予測位置と付帯する不確定円（６５）とを使って、タクシーの「実際の」位置、速度、及び進行方向の新しいサンプルを呼び出しセンター（１１）に何時送るべきかを決める。従って、タクシー（１２）の正確な位置追跡のための、過剰な、従って費用のかかる送信を継続的に送る必要はない。
【００６４】
距離（Ａ）は、タクシーの位置と日時によって、呼び出しセンター（１１）から無線データリンク（４１ｂ）を通して更新することができる。この様に、呼び出しセンターは、無線データリンク（４１ｂ）を通してどれだけ頻繁にデータを送信するかについて制御することができる。距離（Ａ）は、特定の日時の特定のパラメータ領域に対して定義され、例えば、日時がラッシュアワーであったり、タクシーが郊外にいる場合には変更することができる。タクシーの位置と日時によって、変更し、呼び出しセンター（１１）からタクシー端末（４２ａ）に送ることのできる他のパラメータ領域データには、サンプル形成のために行なう読み出し回数、ＧＰＳ受信器（４０ａ）からの読み出しの間隔、及び絶対最大・最小更新間隔が含まれる。最後２つのパラメータは、呼び出しセンター（１１）への条件付データ送信に優先するので、データ送信は、それほど頻発しないか、又は、例えばタクシーが無線データリンク（４１ｂ）の使用範囲外にあるときなどには全く発生しないかの何れかとなる。
【００６５】
タクシー（１６）の速度は、呼び出しセンター（１１）への送信速度に影響する。駐車中又は利用不可能状態のタクシーは、更新を一切送信する必要がない。しかしながら、タクシー（１６）が利用可能になるとすぐに、更新を直ちに送らなければならない。静止しているか又はゆっくり移動中のタクシーは、更新を送信する頻度が低くなる。普通速度のタクシー、即ち定義によると１２．８から２０．８ｋｍ／時間で移動中のタクシーは、高速で移動中のタクシー、即ち定義によると３０．４ｋｍ／時間より早い速度で移動中のタクシーに比べて、更新を送信する回数が最多である。速度範囲が違うと、タクシー端末（４２ａ）とアプリケーションサーバ（５２）双方においてタクシー位置を予測する方法は違ってもよく、発信者（１０）に割り当てるタクシー（１６）の選択方法も違ってよい。一例として、位置更新を呼び出しセンター（１１）に送信する頻度は毎分２回にまで上がる。
【００６６】
データベースサーバ（５４）は、異なる日時の異なる領域毎にパラメータ領域データを記憶し、それにより、タクシー端末（４２ａ）からの最適位置追跡が可能になる。タクシー（１６）が所与の日時に或る領域から別の領域に移動すると、パラメータ領域データは、呼び出しセンター（１１）から無線データリンク（４１ｂ）を通してタクシー端末（４２ａ）を更新することにより変更することができる。所与の領域及び日時について記憶されたパラメータ領域データがない場合は、タクシー端末（４２ａ）は、以前に受信したパラメータ領域データを継続して使用する。
【００６７】
アプリケーションサーバ（５２）は、更に、タクシー端末（４２ａ）から受信したサンプルを分析し、タクシー（１２）の周囲の交通密度を判定し、特定の発信者（１０）に所与のタクシー（１６）を選択する際、知的自動割付が行えるようにする。こうして、所与の発信者（１０）に近いが渋滞状況下にあるタクシーには割り付けられないことになる。そうではなく、タクシーが移動自由である場合には、発信者（１０）からずっと離れていても選択されることになる。
【００６８】
図７に示すように、アプリケーションサーバ（５２）は、発信者（１０）の周囲の管轄区域（７０）を定義することにより、近くのタクシー（１６）を選択して電話呼び出しを経路指定する。最寄のタクシー（１６）は、不確定円（６５）を有し完全に管轄区域（７０）内に入っている利用可能なタクシーの群から選択される。
【００６９】
本発明の或る実施形態では、不確定円（６５）の中心が発信者（１０）に最も近いタクシー（１６）が選択される。本発明の別の実施形態では、管轄区域（７０）内のタクシーの不確定円の幾つか又は全ての大きさ、管轄区域（７０）内のタクシーの走行方向、及びタクシー（１６）の予想位置を考慮することにより、不確定円（６５）の中心が、管轄区域（７０）の他のタクシーよりも発信者（１０）から離れているタクシーが選択される。
【００７０】
選択されたタクシー（１６）が発信者（１０）から或る一定距離即ち一定時間圏内にある可能性を高めるため、特に、発信者の位置（１４）が分かっていてもその精度が低い場合には、管轄区域円（７０）の大きさを小さくすることができる。管轄区域円（７０）の大きさは、発信者の位置（１４）によって変化するパラメータであり、異なる管理領域毎に記憶される。
【００７１】
語彙解説
支払い清算サービス関連（ＡＰＡＣＳ）
ＡＰＡＣＳ２９又はＡＰＡＣＳ３０は、取得銀行にクレジットカード及びデビットカード処理を送信するための支払い処理方法である。「２９」は、クレジットカード支払いを普通は夜間にバッチ処理として清算するように開発された標準である。「３０」は、クレジット承認端末が、支払い処理のオンライン（銀行と直接的な）の安全な承認をできるようにするための仕様である。承認の際に、あなたがカードを有しており、カード保持者本人であり、カード保持者の署名を確認するという条件で、一旦承認されれば支払いは保証される。
【００７２】
起点セル（ＣＯＯ）
起点セル（ＣＯＯ）は、発信者がどのセルにいるかを識別し、地理的データベース内のセル重心の位置を調べる。ＣＯＯは、可変であり非常に正確な位置判定器ではない。探索区域内の基地局の個数によって、精度は、都市部では目標物の１００メートル以内である場合もあれば、基地局があまり密集していない場所では目標から３０キロほども離れることもある。
【００７３】
セルラ・デジタル・パケット・データ（ＣＤＰＤ）
ＣＰＤは、アナログ・セルラパケット・データシステムであり、米国では広く展開されている。米国では、ＧＰＲＳシステムのない場合のデータ通信用のバックボーンを形成する。
【００７４】
コンピュータ電話通信統合（ＣＴＩ）
コンピュータ電話通信統合（ＣＴＩ）は、コンピュータを呼び出しセンターとして機能できるようにするシステムを言い、着信呼び出しを受け、適切な装置又は個人に経路指定する。本システムは、電話呼び出し、ファックス、インターネットメッセージを含め、あらゆる種類の着信及び送信通信を取り扱うことができる。中には、発信者の認証、音声認識、ファックス受信及びファックスを適切なファックス器に経路指定すること、及び発信者の番号を顧客記録と突き合せて照合のために表示する等の能力を有するものもある。
【００７５】
強化時間差観測（Ｅ−ＯＴＤ）
強化時間差観測（Ｅ−ＯＴＤ）システムは、照合ビーコンと位置測定装置（ＬＭＵ）をセルラネットワークにオーバーレイさせて使用し作動する。各ビーコンは、正確な時間供給源を有し、少なくとも３つのビーコンからの信号を、移動起動中のＥ−ＯＴＤソフトウェア並びにＬＭＵが受信すると、各ビーコンからの信号がハンドセット並びに位置測定装置に着信する着信時刻の差が計算される。タイムスタンプの差を組み合わせてハンドセットの位置を推定する。
【００７６】
Ｅ−ＯＴＤスキームは、起点セルよりも位置判定精度が高く、５０から１２５メートルの間にあるが、応答速度は通常５秒程度と遅めで、ハンドセットのソフトウェアを変更する必要があり、これは、既存の顧客ベースに対して位置特定サービスを提供するのには使用できないということである。
【００７７】
ゼネラル・パケット・ラジオ・サービス（ＧＰＲＳ）
ゼネラル・パケット・ラジオ・サービス（ＧＰＲＳ）は、データ転送速度５６から１１４Ｋｂｐｓと、移動電話及びコンピュータユーザーにインターネットへの連続接続を約束するパケットベースの無線通信サービスである。ＧＰＲＳは、移動体用グローバルシステム（ＧＳＭ）通信に基づいており、「２．５Ｇ」技術として捉えられており、第２世代ＧＳＭから第３世代ＵＭＴＳへの足がかりである。
【００７８】
理論的には、ＧＰＲＳを基本とするサービスは、通信チャネルを、或る時間一人のユーザー専用とするのではなく、パケット必要時ベースで共用できるようにしているので、回路開閉式サービスよりもユーザー費用を安くできる。Vodafoneの示している費用は、£１／メガバイトであり、これはＰＲＳよりも一桁低い。ＧＰＲＳを使えば、最終的に本発明を（ＰＲＳの範囲に入っていない）欧州全域に運用して（良心的な送信費用で）フローティング・カー・データを生成することが可能となる。
【００７９】
グローバル・ポジショニング・システム（ＧＰＳ）
グローバル・ポジショニング・システム（ＧＰＳ）は２４個の衛星のシステムである。４個の衛星からの信号を三角測量することにより、受信装置は地球上のどこにあっても数メートル以内でその現在位置をピンポイント把握することができる。移動の速度と方向もＧＰＳ信号から直接計算できる。しかしながら、衛星からの信号は極端に弱く、少なくとも４個の衛星を直線的に見通せる必要があるため、ＧＰＳシステムは「都市峡谷」問題に苦しめられることになり、従って木の下や高いビルの近くでは良好な判定を得られない。
【００８０】
対話式音声応答（ＩＶＲ）
対話式音声応答（ＩＶＲ）は、プッシュフォンを使ってデータベース（事前に録音されている音声応答）と対話して、情報を入手するか、又はデータを入力するソフトウェアアプリケーションである。ＩＶＲ技術では、ユーザーとデータベースの対話は、ＩＶＲシステムがユーザーにアクセスを許すものにより事前に規定されているので、電話で人間の対話を行う必要はない。
【００８１】
移動電話世代（２、２．５及び３Ｇ）
電話の第１世代はアナログであった。欧州では、現在のデジタル電話は「第２世代」即ち「２Ｇ」と考えられている。ゼネラル・パケット・ラジオ・サービス（ＧＰＲＳ）及び高速回路開閉式データ（ＨＳＣＤ）は「２．５Ｇ」と考えられ、一方、ユニバーサル移動電話サービス（ＵＭＴＳ）としても知られている「３Ｇ」は、符号分割多重アクセス（ＣＤＭＡ）変調を使用している次にやってくるシステムである。
【００８２】
パケット・ラジオ・サービス（ＰＲＳ）
ＰＲＳは、英国（だけ）でVodafoneにより運用されている仮想Ｘ２５データネットワークである。本システムは、セルを基本としたもので、セルはＧＳＭセルより幾分大きい（信号の周波数が低いことによる）。ラジオパッド（ＰＲＳデータモデム）は、固定モード、携帯モード、移動モードで作動できるが、進行中の呼び出しは１つのセルから別のセルに渡すことはできない。ＰＲＳは、４８００ｂｐｓで作動するが、これはファックス機又は標準ＧＳＭデータ呼び出しの約半分の速度である。
【００８３】
ショート・メッセージ・サービス（ＳＭＳ）
ショート・メッセージ・サービス（ＳＭＳ）は、１６０個までの英数字メッセージを、ＧＳＭネットワークを使用する移動電話に送るためのサービスであり、ページャシステムに非常によく似ている。しかしながら、ＳＭＳメッセージは、移動電話が利用可能となるまで数日間保持されるので、移動電話が起動している必要も範囲内にある必要もない。
【００８４】
着信時刻（ＴＯＡ）
３つの基地局における移動電話からの信号の着信時刻の差を使って、位置を計算する。しかしながら、このスキームでは、位置測定装置（ＬＭＵ）として使用されるオーバーレイネットワークは無くてもよい。その代わり、この機能性は、各基地局でＧＰＳを使ってセルラネットワークを同期させることにより提供される。
【００８５】
理解頂けるように、本発明を実例により説明してきたが、詳細部分の変更は本発明の範囲内で行うことができる。
【図面の簡単な説明】
【００８６】
【図１】本発明による電話呼び出し経路指定システムの概観である。
【図２】移動電話の発信者を呼び出しセンターに接続する様子を示す線図である。
【図３】固定回線電話の発信者を呼び出しセンターに接続する様子を示す線図である。
【図４】本発明による、移動リソースとして使用されているタクシーの線図である。
【図５】本発明による、呼び出しセンターの線図である。
【図６】タクシーの端末が、タクシー位置に関し、どのように呼び出しセンターを更新するのかを示す線図である。
【図７】どのように最寄のタクシーを選択するのかを説明する線図である。
【図１】
2005503739.tif 000003
【図２】
2005503739.tif 000004
【図３】
2005503739.tif 000005
【図４】
2005503739.tif 000006
【図５】
2005503739.tif 000007
【図６】
2005503739.tif 000008
【図７】
2005503739.tif 000009
【国際公開パンフレット】
2005503739.tif 000010
2005503739.tif 000011
2005503739.tif 000012
2005503739.tif 000013
2005503739.tif 000014
2005503739.tif 000015
2005503739.tif 000016
2005503739.tif 000017
2005503739.tif 000018
2005503739.tif 000019
2005503739.tif 000020
2005503739.tif 000021
2005503739.tif 000022
2005503739.tif 000023
2005503739.tif 000024
2005503739.tif 000025
2005503739.tif 000026
2005503739.tif 000027
2005503739.tif 000028
2005503739.tif 000029
2005503739.tif 000030
2005503739.tif 000031
2005503739.tif 000032
2005503739.tif 000033
2005503739.tif 000034
2005503739.tif 000035
2005503739.tif 000036
2005503739.tif 000037
2005503739.tif 000038
2005503739.tif 000039
2005503739.tif 000040
2005503739.tif 000041
2005503739.tif 000042
【国際公開パンフレット（コレクトバージョン）】
2005503739.tif 000043
2005503739.tif 000044
【国際調査報告】
2005503739.tif 000045
2005503739.tif 000046
2005503739.tif 000047